(57)【特許請求の範囲】
【請求項１】
複数の建物ユニット上に該複数の建物ユニットを跨って搭載され、該複数の建物ユニットの屋根を構成する屋根ユニットにおいて、
両外側の小壁パネルの基端部が連結梁により連結されており、それら小壁パネルの先端部の間に設けられる軒小壁に前記各建物ユニットへの接合部となる接合金物が設けられており、前記連結梁の中間部と前記軒小壁の中間部とが、剛性を確保するための補強梁により互いに連結されており、該補強梁は、前記接合金物に接続されていることを特徴とする屋根ユニット。
【請求項２】
前記軒小壁が複数の建物ユニットのそれぞれに接続される複数の軒小壁に分割されており、前記補強梁が前記複数の軒小壁の相対する突き合せ部のそれぞれに接続される請求項１に記載の屋根ユニット。
【請求項３】
前記複数の軒小壁の相対する前記突き合わせ部のそれぞれに、前記接合金物が設けられていることを特徴とする請求項２に記載の屋根ユニット。
【請求項４】
前記補強梁が、屋根ユニットの前記各建物ユニットへの接合後に、連結梁と軒小壁から取外し可能とされてなる請求項１乃至３のいずれかに記載の屋根ユニット。
【請求項５】
複数の建物ユニットを接合してなり、相隣る建物ユニットに跨る請求項１乃至４のいずれかに記載の屋根ユニットを有してなるユニット建物。
【発明の詳細な説明】
【０００１】
【発明の属する技術分野】
本発明は屋根ユニット及びユニット建物に関する。
【０００２】
【従来の技術】
従来、複数の建物ユニットから構成されるユニット建物では、各建物ユニット毎に屋根ユニットを搭載している。そして、屋根ユニットは、特開平８−１４４４１８号公報に記載に如く、対応する建物ユニット毎に独立し、その両側に小壁パネルを備えることを必須としている。
【０００３】
【発明が解決しようとする課題】
複数の相隣る建物ユニットが相並ぶ他の建物ユニットより長尺で、それらの相隣る建物ユニットの前半部が他の建物ユニットの前面より前方に突き出ているとき、相隣る建物ユニットの前半部の屋根は、相隣る建物ユニットの前半部毎に互いに独立した小屋根ユニットを搭載して構築される。このため、相隣る建物ユニット毎に別個の小屋根ユニットを必要とし、小屋根ユニットの生産工場から建築現場への輸送工数が多いし、建築現場での施工工数も多い。また、相隣る小屋根ユニットの接合部では、屋根の外郭に臨まない領域でありながら、それらの小壁パネルが設けられていて屋根の構成部品点数を徒に過剰にしている。
【０００４】
本発明の課題は、複数の建物ユニットに跨って搭載される屋根を簡素化することにある。
【０００５】
【課題を解決するための手段】
請求項１に記載の本発明は、複数の建物ユニット上に該複数の建物ユニットを跨って搭載され、該複数の建物ユニットの屋根を構成する屋根ユニットにおいて、両外側の小壁パネルの基端部が連結梁により連結されており、それら小壁パネルの先端部の間に設けられる軒小壁に前記各建物ユニットへの接合部となる接合金物が設けられており、前記連結梁の中間部と前記軒小壁の中間部とが、剛性を確保するための補強梁により互いに連結されており、該補強梁は、前記接合金物に接続されているものである。
【０００６】
請求項２に記載の本発明は、請求項１の発明において更に、前記軒小壁が複数の建物ユニットのそれぞれに接続される複数の軒小壁に分割されており、前記補強梁が前記複数の軒小壁の相対する突き合せ部のそれぞれに接続されるものである。
【０００７】
請求項３に記載の本発明は、請求項２の発明において更に、前記複数の軒小壁の相対する前記突き合わせ部のそれぞれに、前記接合金物が設けられているものである。
【０００８】
請求項４に記載の本発明は、請求項１乃至３のいずれかの発明において更に、前記補強梁が、屋根ユニットの前記各建物ユニットへの接合後に、連結梁と軒小壁から取外し可能とされてなるものである。
【０００９】
請求項５に記載の本発明は、複数の建物ユニットを接合してなり、相隣る建物ユニットに跨る請求項１乃至４のいずれかに記載の屋根ユニットを有してなるユニット建物である。
【００１０】
【作用】
請求項１の発明によれば下記（ａ）、（ｂ）及び（ｃ）の作用がある。
（ａ）相隣る建物ユニットに跨って搭載される屋根ユニットを一個の屋根ユニットに単一化した。このとき、両側の小壁パネルの間に設けられる軒小壁に各建物ユニットへの接合部となる接合金物を設けたから、屋根荷重を相隣る建物ユニットのそれぞれに確実に伝えることができる。
【００１１】
（ｂ）相隣る建物ユニットに単一の屋根ユニットを跨らせるようにしたから、屋根ユニットの生産工場から建築現場への輸送工数、建築現場での施工工数をともに低減できる。また、単一の屋根ユニットを跨らせるようにし、屋根の外郭に臨む両外側にだけ小壁パネルを設けたから、屋根の外郭に臨まない領域に小壁パネルを設ける必要がなく、屋根の構成部品点数を低減できる。
【００１２】
（ｃ）屋根ユニットの両外側の小壁パネルをつなぐ基端側の連結梁と先端側の軒小壁とを補強梁により連結したから、屋根ユニットの剛性を確保できる。また、補強梁を接合金物に接続したから、補強梁の着脱性も向上できる。
【００１３】
請求項２の発明によれば下記（ｄ）及び（ｅ）の作用がある。
（ｄ）屋根ユニットの軒小壁が複数の建物ユニットのそれぞれに接続される複数の軒小壁に分割されたから、屋根荷重を各軒子壁から対応する各建物ユニットに確実に伝えることができる。
【００１４】
（ｅ）軒小壁を複数に分割したとき、各軒小壁の相対する突き合せ部のそれぞれに補強梁を連結したから、各軒小壁の突き合せ部での垂れを確実に防止できる。
【００１５】
請求項３の発明によれば下記（ｆ）の作用がある。
（ｆ）複数の軒小壁の相対する突き合せ部のそれぞれに、建物ユニットへの接合部となる接合金物を備えたから、各軒小壁から対応する建物ユニットへの屋根荷重の伝達を確実に図ることができる。
【００１６】
請求項４に記載の発明によれば下記（ｇ）の作用がある。
（ｇ）補強梁を、屋根ユニットの建物ユニットへの接合後に、連結梁を軒小壁から取外し可能とした。従って、屋根ユニットの輸送時や据え付け過程で必要とされる屋根ユニットの剛性を補強梁によって確保しながら、屋根ユニットの据え付け完了後には補強梁を取り外して回収し、これを新たな屋根ユニットに繰り返し使用できる。
【００１７】
請求項５の発明によれば下記（ｈ）の作用がある。
（ｈ）ユニット建物の構築に際し、上述（ａ）〜（ｇ）を実現でき、ユニット建物の生産性を向上できる。
【００１８】
【発明の実施の形態】
図１はユニット建物を示す平面図、図２は屋根ユニットを示す斜視図、図３は図１のIII−III線に沿う断面図、図４は図１のIV−IV線に沿う断面図、図５は図４の要部平面図、図６は屋根ユニットの生産手順を示し、（Ａ）は小壁パネルのセットを示す斜視図、（Ｂ）は軒小壁のセットを示す斜視図、図７は屋根ユニットの生産手順を示し、（Ａ）は天井梁のセットを示す斜視図、（Ｂ）は下屋梁のセットを示す斜視図、図８は屋根ユニットの生産手順を示し、（Ａ）は天井パネルのセットを示す斜視図、（Ｂ）は補強梁のセットを示す斜視図、（Ｃ）はランバのセットを示す斜視図、図９は軒小壁への接合金物のセットを示す斜視図、図１０は補強梁のセットを示す斜視図である。
【００１９】
図１のユニット建物１は、工場生産された建物ユニット１０、屋根ユニット３０を建築現場に輸送し、複数の建物ユニット１０を基礎の上に据え付け固定し、それらの建物ユニット１０の上に屋根ユニット３０を搭載して屋根２を構成するものである。
【００２０】
ユニット建物１は図１に示した部分において、３個の下階建物ユニット１１、１２、１３を隣接配置して下階部分を構成し、それらの各下階建物ユニット１１、１２、１３の上に上階建物ユニット２１、２２、２３を搭載してある。そして、２個の下階建物ユニット１１、１２を相並ぶ他の下階建物ユニット１３より長尺で、それらの相隣る下階建物ユニット１１、１２の前半部を他の下階建物ユニット１３の前面より前方に突き出している。２個の上階建物ユニット２１、２２は対応する下階建物ユニット１１、１２より後方にセットバックし、上階建物ユニット２３は対応する下階建物ユニット１３と同一長にし、上階建物ユニット２１、２２、２３はそれらの前面を互いに面一としている。尚、図３、図４に示す如く、上階建物ユニット２１（２２）はその前面側の柱２１Ａの柱脚金物２１Ｂを、下階建物ユニット１１（１２）の壁枠組１１Ａに設けたガイドピン１１Ｂに係着するとともに、該壁枠組１１Ａに釘打ち等により固定している。
【００２１】
しかるに、ユニット建物１にあっては、相隣る下階建物ユニット１１、１２の上階建物
ユニット２１、２２の前面より前方に突出ている前半部の屋根２を、単一の屋根ユニット３１により構成している。
【００２２】
屋根ユニット３１は、図２〜図４に示す如く、相隣る下階建物ユニット１１、１２に跨って搭載されるものであり、両外側の小壁パネル４１、４２の基端部を連結梁としての天井梁４３と下屋梁４４により連結し、それら小壁パネル４１、４２の先端部の間に設けられる軒小壁４５、４６に各下階建物ユニット１１、１２への接合部としての接合金物４７、４８を設けてある。そして、屋根ユニット３１にあっては、天井梁４３と軒小壁４５、４６の間に天井パネル４９を取付け、下屋梁４４と軒小壁４５、４６の上に屋根パネル５０を取付けられる。
【００２３】
また、屋根ユニット３１は、組立段階、輸送段階、下階建物ユニット１１、１２への据え付け段階の剛性確保のために、天井梁４３の中間部と、軒小壁４５、４６の相対する突き合せ部に備えられる前述の接合金物４７、４８のそれぞれに、補強梁５１が接続される。補強梁５１は、屋根ユニット３１の下階建物ユニット１１、１２への接合後に、天井梁４３と軒小壁４５、４６の接合金物４７、４８とから取外し可能とされる。
【００２４】
屋根ユニット３１の工場生産段階での生産手順は以下の如くなされる（図３〜図１０）。
【００２５】
(1)両外側の小壁パネル４１、４２をセットする（図６（Ａ））。小壁パネル４１、４２の基端部で、それらの壁枠組４１Ａ、４２Ａに天井梁接合用柱脚金物４１Ｂ、４２Ｂを設けておく。
【００２６】
(2)小壁パネル４１に軒小壁４５の一端部を、小壁パネル４２に軒小壁４６の一端部をそれぞれ固定する（図６（Ｂ））。
【００２７】
(3)小壁パネル４１、４２の基端部の柱脚金物４１Ｂ、４２Ｂの側部に天井梁４３の両端部を固定する（図７（Ａ））。
【００２８】
(4)小壁パネル４１、４２の基端部の柱脚金物４１Ｂ、４２Ｂの上面に下屋梁４４の両端部を固定する（図７（Ｂ））。
【００２９】
(5)天井梁４３と軒小壁４５、４６の間に天井パネル４９を取付ける。天井パネル４９の基端部は取付アングル４９Ａを天井梁４３の下フランジにボルト４９Ｂで固定し、天井パネル４９の先端部は軒小壁４５、４６に釘打ち等により固定する（図８（Ａ））。
【００３０】
(6)天井梁４３の中間部と、軒小壁４５、４６の接合金物４７、４８のそれぞれに、補
強梁５１の両端部を接続する（図８（Ｂ））。このとき、軒小壁４５、４６の相対する突き合せ部に、接合金物４７、４８を予め止ねじ５２、ボルト５３で固定しておく（図９）。そして、補強梁５１の基端部に設けてあるＬ字状取付部５１Ａを天井梁４３の上フランジにボルト５４で固定し、補強梁５１の先端部に設けてある逆Ｕ字状取付部５１Ｂを接合金物４７、４８の突き合せ間隙に差し込み、ボルト５５で固定する（図５、図１０）。
【００３１】
(7)天井梁４３と軒小壁４５、４６のそれぞれに、軒小壁４５、４６の倒れ防止用としての複数のランバ５６の両端部を止ねじ等にて固定する（図８（Ｃ））。
【００３２】
屋根ユニット３１の建築現場での据え付け手順は以下の如くなされる。
(1)下階建物ユニット１１、１２の上階建物ユニット２１、２２の前面より前方に突出ている前半部に、屋根ユニット３１を搭載する。
【００３３】
(2)屋根ユニット３１の基端部で、小壁パネル４１、４２の柱脚金物４１Ｂ、４２Ｂを下階建物ユニット１１、１２の壁枠組１１Ａ、１２Ａにボルト５７で固定する（図３）。同時に、屋根ユニット３１の先端部で、小壁パネル４１の壁枠組４１Ａと軒小壁４５の接合金物４７を下階建物ユニット１１の柱頭金物１１Ｃにボルト５８、５９で固定し（図３）、小壁パネル４２の壁枠組４２Ａと軒小壁４６の接合金物４８を下階建物ユニット１２の柱頭金物にボルトで固定する。
【００３４】
(3)補強梁５１を天井梁４３と軒小壁４５、４６の接合金物４７、４８から取外す。同時に、ランバ５６も取外す。
【００３５】
(4)屋根ユニット３１の下屋梁４４と軒小壁４５、４６の上に屋根パネル５０を取付ける（図３、図４）。
【００３６】
従って、本実施形態によれば以下の作用がある。
（ａ）相隣る建物ユニット１１、１２に跨って搭載される屋根ユニット３１を１個の屋根ユニット３１に単一化した。このとき、両側の小壁パネル４１、４２の間に設けられる軒小壁４５、４６に各建物ユニット１１、１２への接合部（接合金物４７、４８）を設けたから、屋根荷重を相隣る建物ユニット１１、１２のそれぞれに確実に伝えることができる。
【００３７】
（ｂ）相隣る建物ユニット１１、１２に単一の屋根ユニット３１を跨らせるようにしたから、屋根ユニット３１の生産工場から建築現場への輸送工数、建築現場での施工工数をともに低減できる。また、単一の屋根ユニット３１を跨らせるようにし、屋根２の外郭に臨む両外側にだけ小壁パネル４１、４２を設けたから、屋根２の外郭に臨まない領域に小壁パネル４１、４２を設ける必要がなく、屋根２の構成部品点数を低減できる。
【００３８】
（ｃ）屋根ユニット３１の両外側の小壁パネル４１、４２をつなぐ基端側の連結梁としての天井梁４３と下屋梁４４と先端側の軒小壁４５、４６とを補強梁５１により連結したから、屋根ユニット３１の剛性を確保できる。
【００３９】
（ｄ）屋根ユニット３１の軒小壁４５、４６が複数の建物ユニット１１、１２のそれぞれに接続される複数の軒小壁４５、４６に分割されたから、屋根荷重を各軒小壁４５、４６から対応する各建物ユニット１１、１２に確実に伝えることができる。
【００４０】
（ｅ）軒小壁４５、４６を複数に分割したとき、各軒小壁４５、４６の相対する突き合せ部のそれぞれに補強梁５１を連結したから、各軒小壁４５、４６の突き合せ部での垂れを確実に防止できる。
【００４１】
（ｆ）複数の軒小壁４５、４６の相対する突き合せ部のそれぞれに、建物ユニット１１、１２への接合部となる接合金物４７、４８を備えたから、各軒小壁４５、４６から対応する建物ユニット１１、１２への屋根荷重の伝達の確実を図ることができる。また、補強梁５１をそれらの接合金物４７、４８に接続したから、補強梁５１の着脱性も向上できる。
【００４２】
（ｇ）補強梁５１を、屋根ユニット３１の建物ユニット１１、１２への接合後に、連結梁としての天井梁４３と下屋梁４４を軒小壁４５、４６から取外し可能とした。従って、屋根ユニット３１の輸送時や据え付け過程で必要とされる屋根ユニット３１の剛性を補強梁５１によって確保しながら、屋根ユニット３１の据え付け完了後には補強梁を取り外して回収し、これを新たな屋根ユニット３１に繰り返し使用できる。
【００４３】
（ｈ）ユニット建物１の構築に際し、上述（ａ）〜（ｇ）を実現でき、ユニット建物１の生産性を向上できる。
【００４４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、屋根ユニット３１は工場生産段階で屋根パネル６０を備えるものでも良く、その場合には、ランバ５６は不要となる。
【００４５】
また、本発明の実施において、軒小壁は分割されず、複数の建物ユニットの両方に跨るものでも良く、その場合には、軒小壁の中央部に対応する建物ユニットへの接合部が設けられる。
【００４６】
また、本発明の実施において、屋根ユニットは２個の建物ユニットに跨るものに限らず、３個以上の建物ユニットに跨るものでも良い。
【００４７】
【発明の効果】
以上のように本発明によれば、複数の建物ユニットに跨って搭載される屋根を簡素化することができる。
【図面の簡単な説明】
【図１】  図１はユニット建物を示す平面図である。
【図２】  図２は屋根ユニットを示す斜視図である。
【図３】  図３は図１のIII−III線に沿う断面図である。
【図４】  図４は図１のIV−IV線に沿う断面図である。
【図５】  図５は図４の要部平面図である。
【図６】  図６は屋根ユニットの生産手順を示し、（Ａ）は小壁パネルのセットを示す斜視図、（Ｂ）は軒小壁のセットを示す斜視図である。
【図７】  図７は屋根ユニットの生産手順を示し、（Ａ）は天井梁のセットを示す斜視図、（Ｂ）は下屋梁のセットを示す斜視図である。
【図８】  図８は屋根ユニットの生産手順を示し、（Ａ）は天井パネルのセットを示す斜視図、（Ｂ）は補強梁のセットを示す斜視図、（Ｃ）はランバのセットを示す斜視図である。
【図９】  図９は軒小壁への接合金物のセットを示す斜視図である。
【図１０】  図１０は補強梁のセットを示す斜視図である。
【符号の説明】
１  ユニット建物
２  屋根
１１、１２  建物ユニット
３１  屋根ユニット
４１、４２  小壁パネル  ４３  天井梁（連結梁）
４４  下屋梁（連結梁）
４５、４６  軒小壁
４７、４８  接合金物（接合部）
５１  補強梁
【図１】
0003809073.tif 000002
【図２】
0003809073.tif 000003
【図３】
0003809073.tif 000004
【図４】
0003809073.tif 000005
【図５】
0003809073.tif 000006
【図６】
0003809073.tif 000007
【図７】
0003809073.tif 000008
【図８】
0003809073.tif 000009
【図９】
0003809073.tif 000010
【図１０】
0003809073.tif 000011